(57)【要約】【課題】連続した粘着シートを簡単に貼付することのできるエスカレータハンドレール用連続シート貼付装置を得る。【解決手段】エスカレータハンドレール用連続シート貼付装置は、エスカレータの欄干に取り付けられ得る台座上に貼付ユニットを備え、ハンドレール上に連続粘着シートを貼付させるための装置であって、貼付ユニットは、先端でハンドレール上に貼付された粘着シートをハンドレールの移動に応じてハンドレール上に連続的に供給する粘着シート供給装置と、粘着シート供給装置から供給された粘着シートをハンドレールの移動に沿って蛇行して貼付ける貼付位置調整装置とを備えている。【選択図】        図１
2004217321.tif 000002
【特許請求の範囲】
【請求項１】
エスカレータの欄干に取り付けられ得る台座上に貼付ユニットを備え、ハンドレール上に連続した粘着シートを貼付させるための装置であって、
上記貼付ユニットは、先端でハンドレール上に貼付された粘着シートをハンドレールの移動に応じてハンドレール上に連続的に供給する粘着シート供給装置と、上記粘着シート供給装置から供給された粘着シートを上記ハンドレールの移動に沿って蛇行して貼付ける貼付位置調整装置とを備えたことを特徴とするエスカレータハンドレール用連続シート貼付装置。
【請求項２】
上記貼付位置調整装置は、外側面にカム溝が設けられ、上記ハンドレールに係動して回転する円筒カムと、上記カム溝に案内され、上記ハンドレールの幅方向に往復運動する直線運動部と、上記直線運動部に軸支され、上記粘着シートの上記ハンドレールへの貼付位置を調整する案内ローラとを備えたことを特徴とする請求項１に記載のエスカレータハンドレール用連続シート貼付装置。
【請求項３】
上記粘着シート供給装置は、上記台座に設けられて粘着シートのロールを回転可能に支持する支持軸と、上記支持軸に支持された粘着シートのロールから繰り出されたシート裏紙を巻き取るシート裏紙巻取ローラと、上記支持軸上のロールの回転を上記シート裏紙巻取ローラに伝達する伝達機構とを備えたことを特徴とする請求項１または２のいずれか一項に記載のエスカレータハンドレール用連続シート貼付装置。
【請求項４】
上記貼付ユニットが、粘着シートに張力を伝達する摩擦クラッチ機構を備えたことを特徴とする請求項１乃至３のいずれか一項に記載のエスカレータハンドレール用連続シート貼付装置。
【発明の詳細な説明】
【０００１】
【発明の属する技術分野】
この発明はエスカレータハンドレール用連続シート貼付装置に関し、特に連続した粘着シートを連続的にハンドレールに貼付するエスカレータハンドレール用連続シート貼付装置に関する。
【０００２】
【従来の技術】
従来の宣伝広告や案内などの表示を有するエスカレータ用ハンドレールは、表示を印刷した樹脂製シート、フィルム等の比較的短いシールをハンドレールの表面に多数枚定間隔に接着したものであり、ハンドレールのほぼ平坦な表面中央部にだけ表示面が設けられている（例えば、特許文献１参照。）。
【０００３】
また、ハンドレールの中央部分の表面に記入表示を行い、その上に樹脂コーティングを施しているものもある（例えば、特許文献２参照。）。
【０００４】
【特許文献１】
実開昭６１−５９２７４号公報  （第３頁第１行から第８行）
【特許文献２】
実開昭６３−１６２７７７号公報  （第３頁から第４頁）
【０００５】
【発明が解決しようとする課題】
しかしながら、多数枚のシールを貼り付けられたハンドレールでは、シールの外縁が手によって繰り返し摺られたり、ハンドレール駆動装置の押圧車輪で摩擦駆動されるためにシールが剥離しやすいという問題があった。さらに、多数枚のシールを貼り付けることと剥離する作業に多くの人手がかかるという問題もあった。
【０００６】
また、ハンドレール全長に渡るような長い連続した粘着シートは貼付にも剥離にも多大のマンパワーを要し、ある場合には貼付作業だけに３時間を要したこともあった。剥離作業も人手で行わねばならず、長時間の作業が必要であった。
【０００７】
また、表示の上に樹脂を一旦コーティングすると、表示内容を変更するためにはハンドレールの全体を交換しなければならず、宣伝広告などの表示内容を定期的に変更することはコスト面から実際上不可能であったという問題があった。
【０００８】
従って、この発明の目的は、連続した粘着シートを簡単に貼付することのできるエスカレータハンドレール用連続シート貼付装置を得ることである。
【０００９】
【課題を解決するための手段】
この発明に係わるエスカレータハンドレール用連続シート貼付装置においては、エスカレータの欄干に取り付けられ得る台座上に貼付ユニットを備え、ハンドレール上に連続粘着シートを貼付させるための装置であって、貼付ユニットは、先端でハンドレール上に貼付された粘着シートをハンドレールの移動に応じてハンドレール上に連続的に供給する粘着シート供給装置と、粘着シート供給装置から供給された粘着シートをハンドレールの移動に沿って蛇行して貼付ける貼付位置調整装置とを備えている。
【００１０】
【発明の実施の形態】
実施の形態１．
図１はこの発明の実施の形態１のエスカレータハンドレール用連続シート貼付装置の概略正面図、図２は図１の概略平面図、図３は、ハンドレール上への粘着シートの貼付位置をハンドレールの幅方向に対して蛇行状に調整させる貼付位置調整装置の斜視図、図４は図１の摩擦クラッチ機構の断面図である。図２はフィルムロールとボビンは図示していない。
【００１１】
エスカレータハンドレール用連続シート貼付装置は、エスカレータの欄干１に取り付けられ得る台座２上に貼付ユニット３が備えられている。台座２のハンドレールの移動方向に対して平行な両側端部にフレーム４、５が備えられている。
【００１２】
貼付ユニット３は、先端でハンドレール６上に貼付された粘着シート７をハンドレール６の移動に応じてハンドレール６上に連続的に供給する粘着シート供給装置８と、粘着シート供給装置８から供給された粘着シート７をハンドレール６の表面に沿って案内して貼付ける案内貼付装置９とを備えている。
【００１３】
粘着シート供給装置８は、フレーム４に回転自在に支持され、供給フィルムのロール１０を回転可能に支持するフィルム支持軸１１と、フレーム４に回転自在に支持され、供給フィルムのロール１０から繰り出されたシート裏紙１２を巻き取る裏紙巻取ローラ１３と、フィルム支持軸１１上のロール１０の回転を裏紙巻取ローラ１３に伝達する伝達機構１４とを備えている。
【００１４】
フィルム支持軸１１に設けられた雌ねじ部１１ａに嵌合し、フィルム支持軸１１に供給フィルムのロール１０を固定するナット１５がフィルム支持軸１１に備えられている。
【００１５】
裏紙巻取ローラ１３は図４に示すように摩擦クラッチ機構１６を備え、摩擦クラッチ機構１６は、シート裏紙１２を巻き付けるボビン１７の内周面と摺動して応圧するクラッチバネ１８と、クラッチバネ１８の一端を保持するナット１５と、クラッチバネ１８の他端を保持するボビンフレーム１９とを備えている。
【００１６】
伝達機構１４は、フィルム支持軸１１に固着された歯車２０と、フレーム４に回転自在に支持された第１と第２の歯車軸２１、２２に固着された歯車２３、２４と、裏紙巻取ローラ１３に固着された歯車２５とを備えている。歯車２０と歯車２３と、歯車２３と歯車２４と、歯車２４と歯車２５が噛合して、従動する。歯車２５の回転速度は、ロール１０から粘着シート７が供給されるスピードより常に早く回転するように歯車２０と歯車２５とを設定してある。
【００１７】
案内貼付装置９は、ハンドレール６上への粘着シート７の貼付位置をハンドレール１の幅方向に対して蛇行状に変化させる貼付位置調整装置２６と、ハンドレール６に引き込むゴムローラ２７と、ハンドレール６上に粘着シート７を貼付するゴムローラ２８とを備えている。
【００１８】
貼付位置調整装置２６は、図３に示すように、フレーム４とフレーム５とに回転自在に中心軸２９ａが支持された円筒カム２９が備えられている。円筒カム２９は、中心軸２９ａの周りにゴムからできたローラ部２９ｃと、ローラ部２９ｃの外側面に波形をした連続したカム溝２９ｂとが設けられている。さらに、貼付位置調整装置２６は、台座２の案内溝２ａに支えられた直線運動部３０を備えている。直線運動部３０は、矩形の案内溝２ａのハンドレール６の幅方向に平行に設けられた段部２ｂに直線運動部３０の下面３０ａが摺動可能に支持されている。さらに、直線運動部３０は、下面３０ａより下方に突き出た突起部３０ｂが設けられ、その突起部３０ｂのハンドレール６の移動方向に突起した案内ピン部３０ｃが設けられている。案内ピン３０ｃはカム溝２９ｂに緩やかに嵌合している。さらに、貼付位置調整装置２６は、直線運動部３０から上方に縦立された２本の案内ローラ３１、３２を備えている。案内ローラ３１、３２の間には、粘着シートの幅に相当する間隔が開いている。
【００１９】
貼付位置調整装置２６の動作を説明する。エスカレータハンドレール用連続シート貼付装置をハンドレール６上に設置するとき、円筒カム２６のローラ部２９ｃの外側面がハンドレール６に接触し、エスカレータハンドレール用連続シート貼付装置の自重で所望の圧力がローラ部２９ｃとハンドレール６との間に加わっている。ハンドレール６が移動すると、摩擦力により円筒カム２９が中心軸２９ａを中心に回転する。円筒カム２９が回転すると、カム溝２９ｂに緩やかに嵌合している案内ピン部３０ｃは、カム溝２９ｂの側壁と当たり、案内ピン部にハンドレール６の幅方向の力が加わる。この力が案内ピン部３０ｃと一体に形成されている直線運動部３０を案内溝２ａに案内されてハンドレール６の幅方向に往復運動する。直線運動部３０の往復運動に伴って案内ローラ３１、３２がハンドレール６の幅方向に往復運動する。カム溝２９ｂは、円筒カム２９が一周する間に一山を越える波形であり、直線運動部３０は、円筒カム２９が一周する間に、ハンドレール６の幅方向を一往復する。
ゴムローラ２７、２８はゴムライニングされ、台座２に対して水平にフレーム４で回転自在に軸支されている。
【００２０】
台座２のハンドレール６の移動方向に対して前縁と後縁とに、台座２とハンドレール６の水平方向を調整する調整ローラ３３が台座２に回転自在に固定されている。
フレーム４にハンドレール６が移動するとき、エスカレータハンドレール用連続シート貼付装置を移動しないように保持する取手３４が設けられている。
【００２１】
このような構成のエスカレータハンドレール用連続シート貼付装置の操作について説明する。貼付するハンドレール６は、クロロスルフォン化ポリエチレンゴムからなり、高さ３０ｍｍ、幅８０ｍｍ位の鞍状の断面形状で、長さは一周で３０ｍ位の無端ベルトである。一方、フィルムはシンセディックポリマーフィルムの片側に印刷して表示体を設け、その印刷面に粘接着剤を塗布した粘着シート７と、その上をラミネートしたシリコーン離型剤を塗布されたシート裏紙１２からなり、幅５０ｍｍ位で外径８０ｍｍの紙管に所望の長さ、通常はハンドレール一周分である３０ｍを巻回されたロール１０になっている。
【００２２】
フィルムロール１０をフィルム支持軸１１に挿入後、ナット１５を締め付けて固定する。裏紙巻取ローラ１３にボビン１７を挿入後、ナット１５を締め付けてクラッチバネ１８がボビン１７の内周面に当たり、所望の回転トルク以上が加わるとボビン１７の内周面とクラッチバネ１８の接触面が滑るように固定する。フィルムロール１０をシート裏紙１２と粘着シート７とに分離し、シート裏紙１２を裏紙巻取ローラ１３まで引っ張り出して先端部をボビン１７にテープで固定する。一方、粘着シート７を案内ローラ３１、３２の間を通過させ、ゴムローラ２７とハンドレール６の間を通過させてハンドレール６の移動方向にさらに引き出し平たくハンドレール６に貼り付ける。この段階で、手で粘着シート７の貼り付けの不十分の箇所を直したり、印を付けておく。次に１ｍ位ハンドレール６を送って、手で貼り付けた部分を切り取っておく。
【００２３】
次に、ハンドレール６を自動で駆動すると、ハンドレール６に粘着シート７が引っ張られて粘着シート７がフィルムロール１０から引き出される。フィルム支持軸１１が回転すると、歯車２０、２２、２３を介して歯車２５が回転し、裏紙巻取ローラ１３が回転する。裏紙巻取ローラ１３の回転速度はフィルム支持軸１１より常に速いので、貼付の初期では裏紙巻取ローラ１３のシート裏紙１２が巻き取られる速度は、フィルムロール１０から引き出される速度より少し速いのでシート裏紙１２は常に引っ張られた状態で巻き取られ、貼付が進むほどシート裏紙１２を引っ張る力が大きくなるので、クラッチバネ１８とボビン１７の内周とで滑って、この力を逃がす摩擦クラッチ機構１６を構成している。
【００２４】
一方、引き出された粘着シート７は、案内ローラ３１，３２の間に挟まれて、ハンドレール６の幅方向に、ハンドレール６との相対位置が変化される。ハンドレール６の移動に伴って、貼付位置調整装置２６の円筒カム２９が回転すると、直線運動部３０はハンドレール６の幅方向に１０ｍｍ往復運動する。この往復運動に伴って案内ローラ３１、３２が粘着シート７の幅方向の両端部に力を加えて、粘着シート７のハンドレール６に対する幅方向の相対位置を調整する。ハンドレール６の幅方向に対する位置が調整された粘着シート７は、ゴムローラ２７とハンドレール６の間を通過して、ハンドレール６上に貼付され、さらにゴムローラ２８で再度粘着シート７を下方に押しつけて貼付する。貼付した部分が重なるまで貼付を継続し、その後、端部に隙間がないように切り取って、その端部を接着力の大きな粘着テープで覆っておく。ハンドレール６に貼付された粘着シート７のハンドレール６の幅方向の位置を連なった線は、ハンドレール６の移動方向に対して１０ｍｍの幅で蛇行している。
【００２５】
このようなハンドレール用連続シート貼付装置を用いると、粘着シートの始めだけハンドレールに貼付すれば、その後はハンドレールの移動に伴って粘着シートが引き出されて、粘着シートをハンドレールに貼付する位置を変化して蛇行状にハンドレールに貼付することができる。
【００２６】
さらに、貼付作業を一カ所で固定して行うことができ、さらに乗降口の近くで貼付作業ができるので、作業の足場が確保できて安全に作業を行うことができる。
【００２７】
また、このエスカレータハンドレール用連続シート貼付装置をエスカレータに関して説明したが、動く歩道のようにハンドレールで乗客を案内する装置にも同様に適用可能である。
【００２８】
尚、この実施の形態１では粘着シートのロールはハンドレールの幅方向に対して固定して、案内ローラで粘着シートをハンドレールの幅方向に貼付位置を調整する貼付位置調整装置を例示したが、台座をハンドレールの幅方向に固定し、台座に対してフレームの片方の端部をハンドレールの幅方向に首を振るように往復運動させても、同様に粘着シートを蛇行させて貼付することができる。例えば、台座に対してフレームの一端を回転自在に支持し、他端をコイルバネで台座との間を弾性的に支持する。台座に軸支されたカムがフレームに当たり、フレームの弾性的に支持された端部をハンドレールの幅方向に往復運動させられる。実施の形態１と同様に、フレームに支持されているフィルムロールをハンドレールの幅方向に往復運動させることができる。このように粘着シートの貼付位置を調整する機構は特に限定するものではない。
【００２９】
【発明の効果】
以上の如くこの発明のエスカレータハンドレール用連続シート貼付装置による効果は次の通りである。
エスカレータハンドレール用連続シート貼付装置においては、エスカレータの欄干に取り付けられ得る台座上に貼付ユニットを備え、ハンドレール上に連続粘着シートを貼付させるための装置であって、貼付ユニットは、先端でハンドレール上に貼付された粘着シートをハンドレールの移動に応じてハンドレール上に連続的に供給する粘着シート供給装置と、粘着シート供給装置から供給された粘着シートをハンドレールの移動に沿って蛇行して貼付ける貼付位置調整装置とを備えているので、粘着シートの始めだけハンドレールに貼付すれば、その後はハンドレールの移動に伴って粘着シートが引き出されて、粘着シートをハンドレールに貼付する位置を変化して蛇行状にハンドレールに貼付することができる。
【図面の簡単な説明】
【図１】この発明の実施の形態１のエスカレータハンドレール用連続シート貼付装置の正面図である。
【図２】図１の概略側面図である。
【図３】図１の貼付位置調整装置の斜視図である。
【図４】図１の摩擦クラッチ機構の概略断面図である。
【符号の説明】
１  欄干、２  台座、３  貼付ユニット、４、５  フレーム、６  ハンドレール、７  粘着シート、８  粘着シート供給装置、９  案内貼付装置、１０  ロール、１１  フィルム支持軸、１２  シート裏紙、１３  裏紙巻取ローラ、１４  伝達機構、１５  ナット、１６  摩擦クラッチ機構、１７  ボビン、１８  クラッチバネ、１９  ボビンフレーム、２０、２３、２４、２５  歯車、２１、２２歯車軸、２６  貼付位置調整装置、２７、２８  ゴムローラ、２９  円筒カム、２９ａ  カム溝、３０  直線運動部、３０ａ  案内ピン部、３１、３２  案内ローラ、３３  調整ローラ、３４  取手。
【図１】
2004217321.tif 000003
【図２】
2004217321.tif 000004
【図３】
2004217321.tif 000005
【図４】
2004217321.tif 000006